(57)【要約】【課題】冷房運転時における吹出口近傍の結露の発生を抑制することができる空気調和機を提供する。【解決手段】空気の流れを吹出口へ案内するリアガイダ７、リアガイダ７に沿って流れてきた空気の流れ方向を制御する下羽根８ａを備え、前記リアガイダ７と下羽根８ａの上流端との間に、前記リアガイダの下流端に連続して位置して前記下羽根の上流端となる回動部分に嵌り合う軸受部材１３を設けた構成としてある。これにより、下羽根の回動性を確保しつつリアガイダと下羽根の上流端との間に生じる大きな隙間を解消し、冷房運転時にリアガイダと下羽根の上流端との間の隙間に冷気が流れ込んで生じる吹出口近傍の結露の発生を抑制することができる。【選択図】図６
2015004452.tif 000002
【特許請求の範囲】
【請求項１】
空気の取入口と吹出口を有する本体、前記取入口から取り入れた空気を熱交換する熱交換器、前記熱交換器において熱交換して前記吹出口から吹き出すための気流を発生させるファン、前記ファンの下流に配置されて空気の流れを前記吹出口へ案内するリアガイダ、前記リアガイダの下流において回動可能に設けられ、前記リアガイダに沿って流れてきた空気の流れ方向を制御する羽根を備え、かつ、前記リアガイダと羽根の上流端との間に、前記リアガイダの下流端に連続して位置して前記羽根の上流端となる回動部分に嵌り合う軸受部材を備えた空気調和機。
【請求項２】
軸受部材は、本体との間に設けた弾性手段によって可動自在としたことを特徴とする請求項１に記載の空気調和機。
【請求項３】
軸受部材は第２の軸受部材を備え、前記第２の軸受部材を前記軸受部材に対して可動自在としたことを特徴とする請求項１または２に記載の空気調和機。
【請求項４】
軸受部材、もしくは、第２の軸受部材と羽根の回動部分との間に線接触するような突起部を１箇所以上設けたことを特徴とする請求項１〜３のいずれか１項に記載の空気調和機。
【請求項５】
軸受部材、もしくは、第２の軸受部材は、羽根の材料とは異なる樹脂材料で形成したことを特徴とする請求項１〜４のいずれか１項に記載の空気調和機。
【発明の詳細な説明】
【技術分野】
【０００１】
本発明は、室内の空調を行う空気調和機に関し、特に空気調和機における吹出口の結露防止構成に関するものである。
【背景技術】
【０００２】
一般に家庭で使用される空気調和機は、通常、室内への騒音及び振動を抑制するために、コンプレッサ等の大きな騒音源、振動源となるものを室外機に配設し、騒音及び振動の少ないファンや熱交換器等を室内機に配設したセパレータ型となっている。このように構成された空気調和機の室内機は、室内の壁面等に設置されて、室内が所望の温度となるよう空調動作が行われる。室外機と室内機は、冷媒配管と制御用配線で互いに機械的及び電気的に接続されており、互いに協働して空調動作を行っている。
【０００３】
上記空気調和機の室内機には、温度調節された空気を室内に吹き出すための吹出口が設けられており、その吹出口には吹き出される空気の向きを変更するための風向変更手段が設けられている。風向変更手段としては、室内における所望の領域に向かって吹出口から吹き出された空気を送り出すために、吹出口から吹き出される空気の流れを上下方向に変更する上下風向変更羽根と、吹出口から吹き出される空気の流れを左右方向に変更する左右風向変更羽根とで構成された風向変更羽根が用いられている。
【０００４】
従来の空気調和機における上下風向変更羽根としては、例えば、空気調和機の運転時には吹出口から突出して、吹出口から吹き出される空気の流れ方向を変更するとともに、空気調和機の停止時には吹出口を閉塞するよう構成されたものがある（例えば、特許文献１参照）。
【０００５】
上記上下風向変更羽根は、吹出口までの通路を構成するリアガイダの下流端に回動可能に設けられ、吹出口を開閉するとともに、空調運転時には熱交換されリアガイダに沿って流れてきた空気の向きを上下方向に変更するようになっている。
【先行技術文献】
【特許文献】
【０００６】
【特許文献１】特開２００２−２０３８５２号公報
【発明の概要】
【発明が解決しようとする課題】
【０００７】
しかしながら、上記従来の上下風向変更羽根はリアガイダの下流端との間に上下風向変更羽根の回動逃げ用の隙間が形成されているため、リアガイダに沿って流れてきた空気が、リアガイダと上下風向変更羽根の上流端との間に存在する比較的大きな回動逃げ用の隙間に流れ込み、冷房運転時にはその隙間に流れ込んだ冷気により吹出口近傍に結露を生じさせるという問題を有していた。
【０００８】
本発明はこのような点に鑑みてなしたもので、冷房運転時における吹出口近傍の結露の発生を抑制することができる信頼性の高い空気調和機の提供を目的とする。
【課題を解決するための手段】
【０００９】
前記目的を達成するために、本発明に係る空気調和機は、空気の取入口と吹出口を有する本体、前記取入口から取り入れた空気を熱交換する熱交換器、前記熱交換器において熱交換して前記吹出口から吹き出すための気流を発生させるファン、前記ファンの下流に配
置されて空気の流れを前記吹出口へ案内するリアガイダ、前記リアガイダの下流において回動可能に設けられ、前記リアガイダに沿って流れてきた空気の流れ方向を制御する羽根を備え、かつ、前記リアガイダと羽根の上流端との間に、前記リアガイダの下流端に連続して位置して前記羽根の上流端となる回動部分に嵌り合う軸受部材を備えた構成としてある。
【００１０】
これにより、この空気調和機においては、羽根の回動性を確保しつつリアガイダと羽根の上流端との間に生じる比較的大きな隙間を解消し、冷房運転時にリアガイダと羽根の上流端との間の隙間に冷気が流れ込んで生じる吹出口近傍の結露の発生を抑制することができる。
【発明の効果】
【００１１】
本発明は、吹出口近傍における冷房運転時の結露の発生を抑制できるので信頼性の高い空気調和機を提供することができる。
【図面の簡単な説明】
【００１２】
【図１】本発明の実施の形態１における空気調和機の運転停止時の室内機を示す縦断面図
【図２】同実施の形態１における空気調和機の空調運転時の室内機を示す縦断面図
【図３】同実施の形態１における空気調和機の空調運転時の上下風向変更羽根の動作例を示す拡大縦断面図。
【図４】同実施の形態１における空気調和機の空調運転時の上下風向変更羽根の他の動作例を示す拡大縦断面図
【図５】同実施の形態１における空気調和機の空調運転時の上下風向変更羽根の更に他の動作例を示す拡大縦断面図
【図６】同実施の形態１における空気調和機の結露防止機構を示す拡大縦断面図
【図７】本発明の実施の形態２における空気調和機の結露防止機構を示す拡大縦断面図
【発明を実施するための形態】
【００１３】
本発明に係る第１の態様の空気調和機は、空気の取入口と吹出口を有する本体、前記取入口から取り入れた空気を熱交換する熱交換器、前記熱交換器において熱交換して前記吹出口から吹き出すための気流を発生させるファン、前記ファンの下流に配置されて空気の流れを前記吹出口へ案内するリアガイダ、前記リアガイダの下流において回動可能に設けられ、前記リアガイダに沿って流れてきた空気の流れ方向を制御する羽根を備え、かつ、前記リアガイダと羽根の上流端との間に、前記リアガイダの下流端に連続して位置して前記羽根の上流端となる回動部分に嵌り合う軸受部材を備えた構成としてある。
【００１４】
このように構成された本発明に係る第１の態様の空気調和機においては、羽根の回動性を確保しつつリアガイダと羽根の上流端との間に生じる隙間を解消し、冷房運転時にリアガイダと羽根の上流端との間の隙間に冷気が流れ込んで生じる吹出口近傍の結露の発生を抑制することができ、信頼性の高い空気調和機とすることができる。
【００１５】
本発明に係る第２の態様の空気調和機は、前記の第１の態様における前記軸受部材は、本体との間に設けた弾性手段によって可動自在としてある。
【００１６】
このように構成された空気調和機においては、前記軸受部材が可動自在であるため、前記羽根の変形や運転時に前記羽根が上下回動した時など、羽根の回動部分と前記軸受部材とが強く接触することなく隙間の微小な状態を維持することができ、長期間にわたって確実に結露防止できるとともに羽根の回動動作も円滑なものとすることができる。
【００１７】
本発明に係る第３の態様の空気調和機は、前記の第１の態様における前記軸受部材は第２の軸受部材を備え、前記第２の軸受部材を前記軸受部材に対して可動自在とした構成としてある。
【００１８】
このように構成された空気調和機においては、冷房運転時に前記軸受部材が冷気により冷やされたとき、前記軸受部材にさらに第２の軸受部材を介在させているため、冷熱が前記第２の軸受部材の下面まで直接伝達されることがなく、吹出口近傍、特に吹出口下縁の結露の発生を確実に抑制することができ、空気調和機の信頼性を一段と高めることができる。
【００１９】
本発明に係る第４の態様の空気調和機は、前記第１から第３の態様のいずれかの態様において、前記軸受部材、もしくは、第２の軸受部材と羽根の回動部分との間に線接触するような突起部を１箇所以上設けた構成としてある。
【００２０】
このように構成された空気調和機においては、弾性手段の附勢力によって前記軸受部材、又は、前記第２の軸受部材と前記羽根の回動部分との間のシール性を強固に確保でき、前記軸受部材、又は、前記第２の軸受部材と前記羽根の回動部分との間への冷気の流入を防止してより確実に吹出口近傍の結露発生を抑制することができる。
【００２１】
本発明に係る第５の態様の空気調和機は、前記第１から第４の態様のいずれかの態様において、前記軸受部材、もしくは、第２の軸受部材は、羽根の材料とは異なる樹脂材料で形成した構成としてある。
【００２２】
このように構成された空気調和機においては、前記羽根の回動における摺動性を良くするとともに、耐久信頼性も向上させることができる。
【００２３】
以下、本発明の空気調和機における実施の形態について、添付の図面を参照しながら説明する。なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００２４】
（実施の形態１）
実施の形態１の空気調和機は、室内機と室外機が冷媒配管及び制御配線等により互いに接続された、所謂セパレート型の空気調和機である。室内機と室外機によりヒートポンプが構成されており、室外機にはコンプレッサが設けられている。また室内機は、室内の壁面に取り付ける壁掛け式の室内機である。
【００２５】
図１および図２は、本発明の実施の形態１における空気調和機の室内機を示し、図１は運転停止時の縦断面図、図２は運転中の縦断面図である。
【００２６】
図１に示すように、室内機１は、空気の取入口となる前面開口部２ａと上面開口部２ｂ、および熱交換された空気を吹き出す吹出口２ｃとを有する本体２、及び本体２の前面開口部２ａを開閉する可動式の前面パネル３を備えている。本体２の内部には、室内空気に含まれる塵埃を除去するためのフィルタ４と、取り入れた室内空気を熱交換する熱交換器５と、前記フィルタ４を通して取り入れた室内空気を熱交換器５で熱交換して吹出口２ｃから室内に吹き出すための気流を発生させる貫流ファンであるファン６と、が設けられている。また、室内機１の本体２において、ファン６の下流側から吹出口２ｃの上流側に至る通風路１０は、ファン６の下流側に配置されて空気の流れを案内するリアガイダ７と、このリアガイダ７に対向して配置されたスタビライザ１１と、本体２の両側壁（図示せず
）とで形成されている。
【００２７】
上記熱交換した空気を室内に吹き出すための吹出口２ｃには、当該吹出口２ｃを開閉するとともに、空気の吹き出し方向を上下方向に変更することができる上下風向変更手段である上下風向変更羽根８が設けられている。さらに、吹出口２ｃの内部には空気の吹き出し方向を左右に変更することができる左右風向変更手段である左右風向変更羽根９が設けられている。
【００２８】
図１に示す空調運転停止時の状態においては、前面パネル３は本体２に密着して前面開口部２ａを閉じ、上下風向変更羽根８が吹出口２ｃを覆うように収納されて吹出口２ｃを閉鎖している。
【００２９】
また、図２に示す空調運転時の状態においては、前面パネル３が本体２から離れる方向に所定距離だけ移動して前面開口部２ａを開放するとともに、上下風向変更羽根８は前方側に回動展開して吹出口２ｃを解放する。
【００３０】
上下風向変更羽根８は、第１の羽根の一例である下羽根８ａと、この下羽根８ａの上方に設けられた第２の羽根の一例である上羽根８ｂとを備えている。上下風向変更羽根８は、下羽根８ａと上羽根８ｂとが協働して、吹出口２ｃから吹き出される空気の吹き出し方向を制御している。下羽根８ａは、下羽根駆動軸の回動動作により、所定角度だけ回動するよう構成されている。上羽根８ｂは、例えば制御によって下羽根８ａと略平行に保持された状態で回動して下羽根８ａに対して近接・離間動作する構成を有している。
【００３１】
なお、上下風向変更羽根８における上羽根８ｂには第３の羽根の一例であるガイドミニ羽根８ｃ（図３等参照）が設けられている。ガイドミニ羽根８ｃは、下羽根８ａと上羽根８ｂにより形成される主流に対して保護する気流を発生させる機能を有している。このように、上羽根８ｂの上面にガイドミニ羽根８ｃを設けることにより、主流に対する周りの空気の混合を防止し、主流における流れの減衰を抑制している。
【００３２】
左右風向変更羽根９は、複数枚の羽根で構成されており、吹出口２ｃから吹き出される空気の吹き出し方向を左右方向に変更するよう制御されている。
【００３３】
空気調和機が空調運転を開始すると、前面パネル３が本体２から所定距離だけ離れる離動作を行い前面開口部２ａが開放されるとともに、上下風向変更羽根８が開動作を行い吹出口２ｃが開放される。このように前面開口部２ａおよび吹出口２ｃが開放された状態でファン６が駆動されて、室内空気が前面開口部２ａ及び上面開口部２ｂを通して室内機１の内部に取り入れられる。取り入れられた室内空気は、フィルタ４を通り、熱交換器５において熱交換されて、ファン６に吸い込まれる。ファン６に吸い込まれ熱交換された空気は、ファン６の下流側に形成された通風路１０を通り、吹出口２ｃより吹き出される。
【００３４】
ファン６からの空気が通風路１０を通過するとき、ファン６の下流側に配置されたリアガイダ７およびスタビライザ１１によりファン６からの空気が案内されて、吹出口２ｃから吹き出される。貫流ファンであるファン６からの空気は、ファン６の外側外周に設けられたリアガイダ７の曲面に沿って流れて、吹出口２ｃから吹き出される。
【００３５】
吹出口２ｃから吹き出される空気の吹き出し方向は、上下風向変更羽根８及び左右風向変更羽根９により制御されている。上下風向変更羽根８及び左右風向変更羽根９の角度調整等の動作は、当該空気調和機を制御する制御装置（図示省略）により制御されている。
【００３６】
図３から図５は、実施の形態１の空気調和機における空調運転時の上下風向変更羽根８
の動作例を示しており、主流を形成する下羽根８ａと上羽根８ｂとの回動動作を示す縦断面図である。
【００３７】
上下風向変更羽根８は、下羽根８ａを駆動させる駆動軸の回動により、下羽根８ａとともに上羽根８ｂが連動して回動する構成である。実施の形態１の空気調和機における上下風向変更羽根８は、リアガイダ７の下流側端部（下流端）の吹出口２ｃに設けられて、吹出口２ｃから吹き出される空気をスムーズに所望の領域に到達させることができ、特に下羽根８ａはリアガイダ７を延長した位置にあり、吹出口２ｃからの空気に対して高い整流効果を発揮するディフューザとしての機能を有する。
【００３８】
図３は、下羽根８ａにおける吹出面８ａａが、リアガイダ７の案内面７ａにおける下流側端部の面と、実質的に連続するように直線的に配置された動作例を示している。図３に示す動作例においては、吹出口２ｃからの空気が斜め下方向に吹き出されており、最大風量時の状態を示している。このときの上下風向変更羽根８がディフーザとしての機能を最大に発揮している。なお、下羽根８ａの吹出面８ａａとは、図３における上向き面であり、吹出口２ｃから吹き出される空気の主流が沿って流れる面である。
【００３９】
図４は、下羽根８ａの吹出面８ａａが、リアガイダ７の案内面７ａにおける下流側端部の面に対して、鈍角を有して配置された動作例であり、吹出口２ｃからの空気の吹き出し方向が、略水平方向である。図４は、一般的な冷房運転時の動作例である。
【００４０】
図５は、下羽根８ａの吹出面８ａａが、リアガイダ７の案内面７ａの吹き出し方向、即ち案内面の７ａに沿って延びる吹出口側の延長線Ｇの方向より、鉛直下方向側を向いており、吹出口２ｃからの空気の吹き出し方向が、略下向き方向である。図５は、通常暖房運転時の動作例である。
【００４１】
上記のように構成された実施の形態１の空気調和機には、上下風向変更羽根８の下羽根８ａとリアガイダ７との間に結露防止機構が設けられており、以下その結露防止機構について図６を用い説明していく。
【００４２】
図６は下羽根８ａとリアガイダ７との間に設けた結露防止機構を拡大して示す縦断面図である。図６に示すように、リアガイダ７の案内面７ａの下流側端部には、下羽根８ａに対して僅かな所定の隙間を有して配置された軸受部材１３が連続して、リアガイダ７を構成する本体２に対して可動自在に設けられている。軸受部材１３は、断面が円弧状であるくぼみ形状を有する形で構成されている。また、この軸受部材１３と本体２の間には弾性手段１８が長手方向略全長にわたって複数配設されている。この弾性手段１８はバネで構成しているが、スポンジなど弾性力のある樹脂の発泡材で構成しても構わない。
【００４３】
上下風向変更羽根８の羽根である下羽根８ａにおける上流端となる回動部分である駆動軸部８ａｂは、下羽根８ａを回動させる駆動軸に直交する断面形状が当該駆動軸を中心とする円弧状の外観を有している。この駆動軸部８ａｂは、軸受部材１３のくぼみ形状のくぼみ面内に嵌り合うように収納配設されている。すなわち、軸受部材１３のくぼみ面と下羽根８ａの駆動軸部８ａｂの外面とは僅かの所定の隙間を有して配設されており、軸受部材１３のくぼみ面に対向して下羽根８ａの駆動軸部８ａｂが嵌り合っていて、従来例で述べたリアガイダと下羽根の上流端との間に生じる隙間を解消している。
【００４４】
また、上記軸受部材１３のくぼみ面には、微細な突起部１７が略全長に渡り設けられ、下羽根８ａの駆動軸部８ａｂの外面と線接触している。なお、この突起部１７は、図６に示したように複数箇所であっても一箇所であってもよいものである。
【００４５】
さらに、上記軸受部材１３は、下羽根８ａを形成する材料、例えばポリスチレン（ＰＳ）などとは異なり、ポリアセタール（ＰＯＭ）など摺動特性に優れた樹脂材料で形成されている。ただし、下羽根８ａを形成する材料が摺動特性に優れた樹脂材料の場合は、軸受部材１３は、ＰＳなどで形成しても構わない。
【００４６】
次に、上記のように構成された結露防止機構における作用について説明する。実施の形態１の空気調和機において、空調運転時（冷房運転時）、ファン６の下流側に配置されたリアガイダ７の案内面７ａに沿ってファン６からの空気が流れる。リアガイダ７に沿って流れた空気は、上下風向変更羽根８の下羽根８ａの吹出面８ａａに案内されて、吹出口２ｃから吹き出される。このときの吹き出される空気の流れを図６における白抜き矢印にて示す。
【００４７】
上記のように、ファン６からの空気がリアガイダ７から下羽根８ａの吹出面８ａａに流れるとき、下羽根８ａにおける回動部分である駆動軸部８ａｂとリアガイダ７との間には軸受部材１３が設けてあるから、これら両者の間には従来例で述べたような大きな隙間がないので冷気の入り込みを防止でき、また下羽根８ａの駆動軸部８ａｂと軸受部材１３との間の隙間１２には、僅かではあるが空気（冷気）が流れ込もうとするが、軸受部材１３のくぼみ面と下羽根８ａの駆動軸部８ａｂの外面とは僅かな隙間であるため、隙間１２への空気（冷気）の流入を抑制することができる。したがって、リアガイダ７と下羽根８ａの上流端との間に冷気が流れ込んで生じる吹出口近傍の結露の発生を抑制することができる。しかも上記リアガイダ７の案内面７ａの下流側端部に設けた軸受部材１３はくぼみ形状を有していて下羽根８ａの駆動軸部８ａｂの回動軸受部となっているから、下羽根８ａの回動の妨げとなることがなく、下羽根８ａの回動性を確保しつつ吹出口近傍の結露発生を抑制することができる。また、この実施の形態では、上記軸受部材１３のくぼみ面に、微細な突起部１７を略全長に渡って設け、下羽根８ａの駆動軸部８ａｂの外面と線接触させているので、隙間１２の完全なシール性が確保できて、隙間１２への空気（冷気）の流入を確実に防止することができ、より確実に吹出口近傍の結露発生を抑制することができる。
【００４８】
さらに上記軸受部材１３は、摺動特性に優れた樹脂材料で形成しているため、下羽根８ａと接触させても、下羽根８ａは滑らかに回動させることができるとともに、耐久信頼性も向上する。
【００４９】
加えて上記軸受部材１３と本体２の間に弾性手段１８を複数配設しているので、隙間１２が拡大することを防止でき、より確実なシールが可能となって、吹出口近傍の結露を防止することができる。すなわち、上記下羽根８ａは樹脂材で形成された左右に長い形状のため、駆動軸部８ａｂは僅かながら変形が発生する。また、下羽根８ａが上下に回動したときなど、隙間１２の寸法が一定でなくなる現象が発生する。しかしながら、この実施の形態で例示したように、軸受部材１３と本体２の間に弾性手段１８を複数配設したことで、隙間１２が拡大することを防止でき、そのため、シール性が確保できて、冷房運転時の吹出口近傍の結露を長期間にわたって確実に防止することができる。
【００５０】
以上のように、本実施の形態１の空気調和機は、冷房運転時の結露の発生を抑制することができとともに、ファン６からリアガイダ７に案内されて送られてきた空気を上下風向変更羽根８によりスムーズに所望の方向に吹き出すことができ、送風性能が向上した信頼性の高い空気調和機とすることができる。
【００５１】
（実施の形態２）
次に、本発明に係る実施の形態２の空気調和機について図７を用いて説明する。図７は実施の形態２の空気調和機における結露防止機構を示す拡大縦断面図である。
【００５２】
なお、前記実施の形態１と実質的に同一の機能、動作を示す部分には同一番号を付与し、その説明は省略する。また、実施の形態２の空気調和機における基本動作は、実施の形態１の空気調和機における基本動作と同様であるので、実施の形態２の説明においては実施の形態１と異なる点である結露防止機構について説明する。
【００５３】
上記実施の形態２の空気調和機は、図７に示すように、リアガイダ７の案内面７ａの下流側端部（下流端）に軸受部材１３が連続して設けられていて、当該軸受部材１３には、断面が円弧状であるくぼみ形状が形成された第２の軸受部材１３ａが、下羽根８ａに対して僅かな所定の隙間をおいて、可動自在なるように設けられている。また、上記軸受部材１３と第２の軸受部材１３ａとの間には弾性手段１８が複数設けられ、この弾性手段１８はバネで構成されている。なお、弾性手段１８はスポンジなど弾性力のある樹脂の発泡材で構成しても構わない。
【００５４】
また、第２の軸受部材１３ａのくぼみ面には、微細な突起部１７が略全長に渡り設けられ、下羽根８ａの駆動軸部８ａｂの外面と線接触している。なお、この突起部１７は、図７に示したように複数箇所でも、あるいは一箇所でも構わない。
【００５５】
また、軸受部材１３は、第２の軸受部材１３ａを構成する反対側の面にスリット（伝熱遮断隙間）１６を設けている。
【００５６】
さらに、第２の軸受部材１３ａは、下羽根８ａを形成する材料、例えばポリスチレン（ＰＳ）などとは異なり、ポリアセタール（ＰＯＭ）など摺動特性に優れた樹脂材料で形成されている。ただし、下羽根８ａを形成する材料が摺動特性に優れた樹脂材料の場合は、第２の軸受部材１３ａは、ＰＳなどで形成しても構わない。
【００５７】
次に、上記のように構成された結露防止機構における作用について説明するが、実施の形態１の空気調和機と同様の作用については説明を省略する。
【００５８】
実施の形態１の空気調和機は、冷房運転時において、リアガイダ７に沿って流れてきた空気が吹出口２ｃから吹き出される時、軸受部材１３の上面が冷気により冷やされ、冷熱が軸受部材１３を下向きに伝達して下面も冷やさ、吹出口近傍、特に吹出口下縁に結露が発生することが懸念される。
【００５９】
しかしながら、この実施の形態２の空気調和機は、上記のように、軸受部材１３に第２の軸受部材１３ａを介在させて両者を分離し、さらに、軸受部材１３には伝熱遮断用のスリット１６を設けているため、軸受部材１３の上面１３ａａが冷気により冷やされても、冷熱が軸受部材１３の下面１３ａｂまで直接伝達されることはなく、吹出口近傍、特に、吹出口下縁の結露の発生を抑制することができる。
【００６０】
以上のように、本実施の形態２の空気調和機は、軸受部材１３からの冷熱の伝達による結露の発生をも抑制させることができ、さらに信頼性の高い空気調和機とすることができる。
【００６１】
なお、本発明の空気調和機としては、前述の実施の形態１および実施の形態２の構成に限定されるものではなく、実施の形態１および実施の形態２の構成で示した本発明の技術的思想は、その他種々の態様で実施可能である。
【００６２】
例えば、実施の形態１および実施の形態２の空気調和機は、暖房と冷房を兼用する空気調和機であるが、冷房専用機であっても当然適用可能である。また、実施の形態１および
実施の形態２においては室内機と室外機が別体のセパレート型で説明したが、圧縮機、凝縮機及び蒸発機等が一体となった一体型空気調和機に対しても適用可能な構成である。さらに、本発明においては、室内機として壁掛け式に特定されるものではなく、床置き式等においても、空気の吹出口における上下風向変更羽根を同様の技術的思想により変形して対応することが可能である。
【産業上の利用可能性】
【００６３】
本発明は、冷房運転時の結露を防止して信頼性を高めると同時に風向変更羽根の回動性を損なうことなく吹出口からの空気を所望の領域に到達するように吹き出すことが可能な空気調和機を提供することができ、業務用及び一般家庭等で使用される空気調和機として有用である。
【符号の説明】
【００６４】
１  室内機
２  本体
２ａ  前面開口部
２ｂ  上面開口部
２ｃ  吹出口
３  前面パネル
４  フィルタ
５  熱交換器
６  ファン
７  リアガイダ
８  上下風向変更羽根
８ａ  下羽根（第１の羽根）
１１  スタビライザ
１２  隙間
１３  軸受部材
１３ａ  第２の軸受部材
１７  突起部
１８  弾性手段
【図１】
2015004452.tif 000003
【図２】
2015004452.tif 000004
【図３】
2015004452.tif 000005
【図４】
2015004452.tif 000006
【図５】
2015004452.tif 000007
【図６】
2015004452.tif 000008
【図７】
2015004452.tif 000009